(57)【要約】【課題】  被写体の汚染状況を、汚染度との関係で直接視認し得る汚染状況検出装置を提供する。【解決手段】  エアフィルタの画像を撮影するカメラ部１０と、カメラ部１０にて撮影したエアフィルタの画像を、エアフィルタの汚染度との関係で表示するモニタ部３０とを備えている。【選択図】  図１
2005180830.tif 000002
【特許請求の範囲】
【請求項１】
被写体の画像を撮影する撮像手段と、
上記撮像手段にて撮影した被写体の画像を、被写体の汚染度との関係で表示する表示手段とを備えていることを特徴とする汚染状況検出装置。
【請求項２】
前記表示手段には、被写体の画像を表示する表示部と、被写体の汚染度をグレースケール又はカラースケールにて表示する汚染度スケール部とが設けられていることを特徴とする請求項１記載の汚染状況検出装置。
【請求項３】
前記表示手段は、被写体の画像を画像処理することにより、被写体の汚染度として対応するグレースケール又はカラースケールの一つを指示させる分析手段を備えていることを特徴とする請求項２記載の汚染状況検出装置。
【請求項４】
前記表示手段には、被写体の画像を表示する表示部が設けられており、
上記表示部は、前記撮像手段にて撮影した被写体の画像と被写体の初期状態の画像とを同時に表示可能となっていることを特徴とする請求項１、２又は３記載の汚染状況検出装置。
【請求項５】
前記表示手段には、撮影した被写体の画像を記憶する記憶手段が設けられていることを特徴とする請求項１〜４のいずれか１項に記載の汚染状況検出装置。
【請求項６】
前記記憶手段は、表示手段からとり外し自在となっていることを特徴とする請求項５記載の汚染状況検出装置。
【請求項７】
前記撮像手段は、静止画像及び動画像を撮影可能となっていることを特徴とする請求項１〜６のいずれか１項に記載の汚染状況検出装置。
【請求項８】
前記撮像手段は、内視鏡を備えていることを特徴とする請求項１〜７のいずれか１項に記載の汚染状況検出装置。
【請求項９】
前記撮像手段は、内視鏡を備えていることを特徴とする請求項１〜８のいずれか１項に記載の汚染状況検出装置。
【請求項１０】
前記撮像手段は、無線にて撮影した画像を表示手段に送信可能となっていることを特徴とする請求項１〜９のいずれか１項に記載の汚染状況検出装置。
【請求項１１】
前記被写体は、空調用のエアフィルタであることを特徴とする請求項１〜１０のいずれか１項に記載の汚染状況検出装置。
【請求項１２】
前記撮像手段及び表示手段は、風量を検出する風量検出手段を備えていると共に、
上記表示手段は、風量検出手段による風量測定値を表示可能となっていることを特徴とする請求項１１記載の汚染状況検出装置。
【請求項１３】
前記撮像手段及び表示手段は、携帯可能であることを特徴とする請求項１〜１２のいずれか１項に記載の汚染状況検出装置。
【発明の詳細な説明】
【技術分野】
【０００１】
本発明は、例えば、空調機室内に設けられているエアフィルタ等の被写体の汚染状況を把握するための汚染状況検出装置に関するものである。
【背景技術】
【０００２】
ビルには、通常、空調機室が設けられており、この空調機室でエアフィルタにて清浄ろ過された空気がビルの室内を循環するようになっている。
【０００３】
ところで、この空調機室のエアフィルタの汚れについては、従来では、空調機室内の静圧を測定することにより、エアフィルタの目詰まりを把握し、汚染状況を判断し、エアフィルタの取り替え及び清掃等を行っていた。
【０００４】
そして、この種のエアフィルタの汚れを検出する従来技術としては、例えば、特許文献１〜特許文献４がある。
【０００５】
上記特許文献１の空気調和装置の状態監視装置は、空気調和装置の稼動状況の異常を判断するものである。したがって、エアフィルタが目詰まりして送風機の負荷が異常に高くなった場合には、そのエアフィルタの目詰まりを間接的に把握することができる。
【０００６】
また、特許文献２及び特許文献３のフィルタ汚れ検知装置は、空調機室のエアフィルタに恒常的に設置しておくものであり、エアフィルタの目詰まりによる圧力損失の増大が一定以上になると、有線にて接続された空調機室外の検知装置であるランプが点灯され、又は報知器により報知されるものである。
【０００７】
また、特許文献４のフィルタ汚れ検出器付き空気清浄機は、同様に、空調機室のフィルタに恒常的に設置しておくものであり、発光素子からフィルタに光を照射し、その反射光を受光素子にて検出して、フィルタの汚れを検出するものである。
【特許文献１】特開平７−７１８０３号公報（平成７年３月１７日公開）
【特許文献２】特開平８−５１２３号公報（平成８年１月１２日公開）
【特許文献３】特開２０００−２１０５１８号公報（平成１２年８月２日公開）
【特許文献４】特開平９−３１３８５５号公報（平成９年１２月９日公開）
【発明の開示】
【発明が解決しようとする課題】
【０００８】
しかしながら、上記従来の汚染状況検出装置では、いずれも、直接、エアフィルタの汚れを見るものではないので、汚れの状況が分かり難いという問題点を有している。このため、例えば、ビルの管理者に対してエアフィルタの交換時期であることを指摘しても説得性がないことになる。
【０００９】
本発明は、上記従来の問題点に鑑みなされたものであって、その目的は、被写体の汚染状況を、汚染度との関係で直接視認し得る汚染状況検出装置を提供することにある。
【課題を解決するための手段】
【００１０】
本発明の汚染状況検出装置は、上記課題を解決するために、被写体の画像を撮影する撮像手段と、上記撮像手段にて撮影した被写体の画像を、被写体の汚染度との関係で表示する表示手段とを備えていることを特徴としている。
【００１１】
上記の発明によれば、撮像手段にて被写体の画像を撮影し、その撮像手段にて撮影した被写体の画像を、表示手段にて被写体の汚染度との関係で表示する。
【００１２】
したがって、被写体がどの程度汚れているのかを、画像として目でみることができるので、被写体の汚れの状況を明確に把握することができる。
【００１３】
また、本発明では、表示手段は、被写体の汚染度との関係でその画像を表示する。したがって、その画像がどの程度汚れているのかが、直ちに明確になる。
【００１４】
したがって、被写体の汚染状況を、汚染度との関係で直接視認し得る汚染状況検出装置を提供することができる。
【００１５】
また、本発明の汚染状況検出装置は、上記記載の汚染状況検出装置において、前記表示手段には、被写体の画像を表示する表示部と、被写体の汚染度をグレースケール又はカラースケールにて表示する汚染度スケール部とが設けられていることを特徴としている。
【００１６】
上記の発明によれば、表示手段には、被写体の画像を表示する表示部と、被写体の汚染度をグレースケール又はカラースケールにて表示する汚染度スケール部とが設けられている。
【００１７】
したがって、被写体の汚染度を把握するに際して、汚染度スケール部によるグレースケール又はカラースケールと画像とを比較できるので、直ちに、汚れの程度を把握することができる。
【００１８】
また、本発明の汚染状況検出装置は、上記記載の汚染状況検出装置において、前記表示手段は、被写体の画像を画像処理することにより、被写体の汚染度として対応するグレースケール又はカラースケールの一つを指示させる分析手段を備えていることを特徴としている。
【００１９】
上記の発明によれば、表示手段は、被写体の画像を画像処理することにより、被写体の汚染度として対応するグレースケール又はカラースケールの一つを指示させる分析手段を備えている。
【００２０】
したがって、単に、肉眼で、画像とグレースケール又はカラースケールとを比較するのではなく、分析手段が被写体の画像を画像処理して、グレースケール又はカラースケールのどのレベルに該当するのかを指示するので、客観的かつ適確に汚染度を把握することができる。
【００２１】
また、本発明の汚染状況検出装置は、上記記載の汚染状況検出装置において、前記表示手段には、被写体の画像を表示する表示部が設けられており、上記表示部は、前記撮像手段にて撮影した被写体の画像と被写体の初期状態の画像とを同時に表示可能となっていることを特徴としている。
【００２２】
上記の発明によれば、表示手段に設けられた表示部は、撮像手段にて撮影した被写体の画像と被写体の初期状態の画像とを同時に表示可能となっている。
【００２３】
したがって、単に画像を表示するだけではなく、被写体の初期状態との関係で汚れの状況を視認することができる。
【００２４】
また、本発明の汚染状況検出装置は、上記記載の汚染状況検出装置において、前記表示手段には、撮影した被写体の画像を記憶する記憶手段が設けられていることを特徴としている。
【００２５】
上記の発明によれば、表示手段には、撮影した被写体の画像を記憶する記憶手段が設けられている。
【００２６】
したがって、後ほど、記憶手段の画像を表示手段にて表示することが可能である。
【００２７】
また、本発明の汚染状況検出装置は、上記記載の汚染状況検出装置において、前記記憶手段は、表示手段からとり外し自在となっていることを特徴としている。
【００２８】
上記の発明によれば、記憶手段は、表示手段からとり外し自在となっているので、例えば、その取り出した記憶手段をパーソナルコンピュータに挿入し、そのパーソナルコンピュータにて画像を表示したり印刷したりすることが可能となる。
【００２９】
また、本発明の汚染状況検出装置は、上記記載の汚染状況検出装置において、前記撮像手段は、静止画像及び動画像を撮影可能となっていることを特徴としている。
【００３０】
上記の発明によれば、撮像手段は、静止画像及び動画像が撮影可能であるので、静止画像だけでなく、撮影箇所を移動しながら映像を撮影し、表示手段にて表示することができる。
【００３１】
また、本発明の汚染状況検出装置は、上記記載の汚染状況検出装置において、前記撮像手段は、内視鏡を備えていることを特徴としている。
【００３２】
上記の発明によれば、撮像手段は内視鏡を備えているので、狭い所や奥深いところでも被写体を撮影することができる。
【００３３】
また、本発明の汚染状況検出装置は、上記記載の汚染状況検出装置において、前記撮像手段は、無線にて撮影した画像を表示手段に送信可能となっていることを特徴としている。
【００３４】
上記の発明によれば、撮像手段は、無線にて撮影した画像を表示手段に送信可能となっている。したがって、撮像手段と表示手段とを互いに離れた位置に置くことができるとともに、無線で画像を送信するので、有線に比較して電波の届く範囲で表示手段を移動することができる。
【００３５】
また、本発明の汚染状況検出装置は、上記記載の汚染状況検出装置において、前記被写体は、空調用のエアフィルタであることを特徴としている。
【００３６】
上記の発明によれば、被写体は、空調用のエアフィルタである。すなわち、空調用のエアフィルタは、従来、エアフィルタの目詰まりによる静圧の増大を利用した間接的な汚染状況検出であったのに対して、本発明では、目で見てエアフィルタの汚染状況を把握できるので、エアフィルタの交換時期等の判断が容易となる。
【００３７】
また、本発明の汚染状況検出装置は、上記記載の汚染状況検出装置において、前記撮像手段及び表示手段は、風量を検出する風量検出手段を備えていると共に、上記表示手段は、風量検出手段による風量測定値を表示可能となっていることを特徴としている。
【００３８】
上記の発明によれば、撮像手段及び表示手段は、風量を検出する風量検出手段を備えている。したがって、風量測定に基いて差圧によるエアフィルタの汚れを類推することができる。
【００３９】
また、表示手段は、風量検出手段による風量測定値を表示可能となっているので、風量測定値を視認することができる。
【００４０】
また、本発明の汚染状況検出装置は、上記記載の汚染状況検出装置において、前記撮像手段及び表示手段は、携帯可能であることを特徴としている。
【００４１】
上記の発明によれば、撮像手段及び表示手段は、携帯可能であるので、持ち運びが容易であり、場合によっては、例えば、ビルの管理者の事務所にてエアフィルタの汚れ状況を見せることができる。
【発明の効果】
【００４２】
本発明の汚染状況検出装置は、被写体の画像を撮影する撮像手段と、上記撮像手段にて撮影した被写体の画像を、被写体の汚染度との関係で表示する表示手段とを備えているものである。
【００４３】
それゆえ、被写体がどの程度汚れているのかを、画像として目でみることができるので、被写体の汚れの状況を明確に把握することができる。
【００４４】
また、表示手段は、被写体の汚染度との関係でその画像を表示するので、その被写体がどの程度汚れているのかが、直ちに明確になる。
【００４５】
したがって、被写体の汚染状況を、汚染度との関係で直接視認し得る汚染状況検出装置を提供することができるという効果を奏する。
【発明を実施するための最良の形態】
【００４６】
本発明の一実施形態について図１ないし図５に基づいて説明すれば、以下の通りである。
【００４７】
本実施の形態の汚染状況検出装置としてのフィルタ汚染状況検出装置は、図１（ａ）（ｂ）に示すように、撮像手段としてのカメラ部１０と表示手段としてのモニタ部３０とからなっている。
【００４８】
上記カメラ部１０は、携帯用のものであり、カメラ本体１を有している。このカメラ本体１は、前面にフレキシブルに曲げることができる内視鏡としてのスコープ部２とを有していると共に、一方の側面には、電源ジャック３、電源スイッチ４及びスピーカ５が設けられ、他方の側面にはマイク６及び風量検出手段としての風量計７が備えられている。上記電源ジャック３は、図示しない電源パックからのコードが差し込まれるようになっている。また、スピーカ５及びマイク６は、上記モニタ部３０との音声通信するためのものである。また、上記カメラ本体１の側面に設けられた風量計７は、外部の風量を測定するために設けられている。なお、これらの設置位置について、必ずしもこれに限らない。
【００４９】
上記カメラ部１０におけるカメラ本体１の内部構造は、図２に示すように、ＣＣＤカメラ部１１と通信部１２と光源１３とを有している。
【００５０】
また、カメラ部１０におけるスコープ部２は、例えば、同心状に設けられるグラスファイバーからなる内筒２１と、同様にグラスファイバーからなる外筒２２と、その外筒２２を保護するステンレスからなるフレキシブル保護外被２３を有している。内筒２１の内部には、対物レンズ２４及び接眼レンズ２５が設けられている。
【００５１】
したがって、スコープ部２の対物レンズ２４からの入射光は、接眼レンズ２５を通して、ＣＣＤカメラ部１１に入射され、通信部１２からモニタ部３０に送信されるようになっている。なお、ＣＣＤカメラ部１１は、静止画像の他、映像も撮影できるようになっている。
【００５２】
また、外筒２２と内筒２１との空洞部２６には、光源１３からの光がグラスファイバーによる内筒２１及び外筒２２による屈折を経て外部に照射されるようになっている。なお、本実施の形態では光源１３はカメラ部１０に内蔵されているが、必ずしもこれに限らず、外付けのものであってもよい。
【００５３】
また、通信部１２は、上述のように、ＣＣＤカメラ部１１からの画像等のデータを送ると共に、風量計７からの風量データ、及びスピーカ５及びマイク６からの音声を送ることができるようになっている。
【００５４】
一方、モニタ部３０は、図１（ｂ）に示すように、ディスプレイ部３１と、汚染度スケール部としての汚れ画像比較データ部３２と、静圧レベル記載部３３と、静圧レベル表示ランプ部３４と電源スイッチ３５ａと、各種モードキー３５ｂと、マイク３６と、スピーカ３７と、スピーカ音調整部３８とアンテナ兼風量計３９等を有している。このモニタ部３０も携帯用となっている。
【００５５】
上記ディスプレイ部３１は、カメラ部１０のスコープ部２にて撮影した画像及び映像を表示するものであり、液晶表示パネルにてなっている。
【００５６】
上記汚れ画像比較データ部３２は、ディスプレイ部３１の上部に設けられており、フィルタ汚染度を、グレースケールにて、例えば６段階で表示されている。したがって、ディスプレイ部３１に表示された画像からどの程度の汚れであるのかが、比較対照できるようになっている。なお、本実施の形態では、白から黒への移行を示すグレースケールにて表示しているが、必ずしもこれに限らず、カラースケールであってもよい。例えば、青系の色で表示する等である。
【００５７】
上記静圧レベル記載部３３には、空調機室５０内の静圧差が例えば６段階に分類して区画して記載されている。例えば、右から、「５ｈＰ〜」、「１０ｈＰ〜」、「１５ｈＰ〜〜」、「２０ｈＰ〜」、「２５ｈＰ〜」、「３０ｈＰ〜」となっている。また、これらの各下側には、静圧レベル表示ランプ部３４が設けられており、上記６段階の分類区画に対応して６個のＬＥＤランプが設けられている。そして、各ＬＥＤランプは、上記カメラ部１０の風量計７及びモニタ部３０のアンテナ兼風量計３９にて測定した風量測定値から類推できる静圧差に対応するＬＥＤランプが点灯表示されるようになっている。
【００５８】
上記のＬＥＤランプは、１色でなく多色にするのが好ましい。これにより、暗がりでも色によって、静圧レベルを判断することができる。
【００５９】
なお、静圧レベルの表示は、必ずしもこれに限らず、例えば、デジタル表示で表示することも可能である。
【００６０】
その他、電源スイッチ３５ａはモニタ部３０の電源をオンオフするものであり、マイク３６及びスピーカ３７は、カメラ部１０との通信に使用するためのものである。また、スピーカ音調整部３８は、スピーカ３７の音量を調整するものである。また、アンテナ兼風量計３９は、本実施の形態では、モニタ部３０に内蔵できるロッドアンテナにてなっており、伸縮自在になっていると共に、ヒンジにより四方八方への回転が可能となっている。      
【００６１】
なお、アンテナ兼風量計３９は、アンテナと風量計とを別途に分けて設けることが可能である。
【００６２】
また、本実施の形態では、各種モードキー３５ｂが設けられており、各種モードのための複数のキーが付いている。例えば、各種モードキー３５ｂの一つを押すことによって、ディスプレイ部３１の画面を半分にし、その一方の半分に現在のエアフィルタ５１の汚れを表示すると共に、他方の半分にそのエアフィルタ５１の初期の状態の映像を映し出せるようになっている。この初期状態の画像は、エアフィルタ５１の各型番毎に予め初期状態の画像を記憶したものが後述する記憶手段としてのメモリ４３に格納されているので、それを呼び出せばよい。なお、現在のビルに施行されているエアフィルタ５１の型番については、設計図面等により、調べることができると共に、この空調機のメンテナンス業者であれば、エアフィルタ５１の型番の調査は容易にできる。また、必ずしも、型番が一致しなくても、エアフィルタ５１の初期状態は、各型番により大きく異なるものでもないので、一般的なエアフィルタ５１の初期状態として、他方の半分に映し出すことができ、これにより、現在のエアフィルタ５１の汚れの程度を比較することができる。その他、各種モードキー３５ｂは、カメラ部１０の風量計７の表示と、モニタ部３０のアンテナ兼風量計３９での風量測定値の表示を切り替える機能等を備えている。
【００６３】
上記モニタ部３０の制御系は、図３に示すように、制御部４１が通信部４２やディスプレイ部３１を制御するようになっている。また、モニタ部３０には、メモリチップからなるメモリ４３が取り付け可能となっており、カメラ部１０にて撮影した画像及び映像をものモニタ部３０の通信部４２にて受信し、記憶することができるようになっている。そして、このメモリ４３をモニタ部３０から取り出して、汎用のパーソナルコンピュータにて見ることができるようになっている。
【００６４】
上記構成のフィルタ汚染状況検出装置の使用方法について説明する。
【００６５】
先ず、本実施の形態のフィルタ汚染状況検出装置は、図３に示すように、例えば、ビルに設けられている空調機室５０の内部にある被写体としてのエアフィルタ５１の汚れを測定するのに適している。この空調機室５０には、点検口５２が設けられており、人間が入って内部を点検できるようになっている。
【００６６】
ここで、エアフィルタ５１は、例えば、図５に示すように、断熱材からなり、仕切り５１ａを複数有する有底の容器状となっている。そして、エアフィルタ５１が汚れてくると、このエアフィルタ５１に埃が蓄積するとともに、静圧も高くなる。
【００６７】
また、エアフィルタ５１は、例えば６０ｃｍ程度の深さがあるので、奥底がどの程度汚れているかは、一般的には、見ることができない。このため、通常は、静圧を測定して、例えば、この程度の静圧ではエアフィルタ５１を取り替える時期になっていると判断するようになっている。
【００６８】
しかしながら、本実施の形態のフィルタ汚染状況検出装置では、このエアフィルタ５１の内部の汚れを直接に見ることができる。すなわち、エアフィルタ５１の内部の汚れを見るときには、エアフィルタ５１の仕切り５１ａ・５１ａの隙間にカメラ部１０のスコープ部２を挿入する。
【００６９】
このとき、カメラ部１０には、光源１３が設けられているので、明るい映像が得られる。また、電源は、例えば、ポータブルのバッテリーパックを利用することができる一方、空調機室５０には、通常、１００Ｖ電源が設けられているので、それを利用することができる。そして、カメラ部１０にて撮影した映像は、空調機室５０の外部にいる点検者が所持するモニタ部３０のディスプレイ部３１に表示される。
【００７０】
したがって、例えば、点検者がそのモニタ部３０をビルの管理者等に見せることにより、直接、エアフィルタ５１の汚れを見せることができる。また、メモリ４３に記憶しておいて、後日、それをビルの管理者等に汎用のパーソナルコンピュータを介して見せることができる。また、デジタル画像として写真に仕上げて見せることもできる。
【００７１】
ここで、本実施の形態のモニタ部３０では、図１に示すように、汚れ画像比較データ部３２に、フィルタ汚染度がグレースケールにて例えば６段階で表示されている。したがって、現在、ディスプレイ部３１に表示された画像からどの程度の汚れであるのかが、比較対照できるので、ビルの管理者等に映像を見せたときに、汚れの程度がわかるので、エアフィルタ５１の取り替え時期について適切なアドバイスをすることができる。
【００７２】
また、ディスプレイ部３１を、各種モードキー３５ｂにて、２画像を映すことができるようにし、一方に実際のエアフィルタ５１の汚れた状態の映像を表示し、他方にそのエアフィルタ５１の初期状態を表示することができる。これにより、エアフィルタ５１の汚れが初期状態との対比により行うことができるので、正確なエアフィルタ５１の汚れを認識することができる。
【００７３】
また、本実施の形態ではモニタ部３０には、静圧レベル表示ランプ部３４が設けられているので、これによって、従来の静圧によるエアフィルタ５１の汚れ判断をすることができる。
【００７４】
このように、上記のフィルタ汚染状況検出装置では、ベストポジションで、汚染度が見え、エアフィルタ５１の汚染前と比較確認できるものである。したがって、各種空調機本体の集塵効率の現状や、確認しづらい空調機設置環境の空気汚染度現状を、より判り易く確認することができる。また、従来の高価で時間がかかる比色法や他の測定方法とは違う視点から、誰もが簡単にローコストで直視して汚染度が比較確認できることにより、現在、測定値が正確に出難い悪測定条件の所や、実集塵効率現状つまり汚れが判りにくい等の問題を解決することができる。また、各種空調機の汚れは、取り付けられている環境の空気により、汚染度が助長される。例えば、汚染度状態の長期放置により、細菌、カビ等の繁殖から起こり得るであろう疾患の誘発が発生する。したがって、エアフィルタ５１が汚れることによって、そのような状況になることの説明が、ユーザーに分かり易く説明できる。さらに、見えない物の生活環境改善の認識向上に、説得力が出るので、定期的なエアフィルタ５１の取替、洗浄、熱交換機の洗浄、空調機清掃の必要性が、より明確になる。
【００７５】
また、空調機器の定期的メンテナンスを行い、良いコンディションで長期使用することが、環境認識向上、電気消費量の削減、及び修理不可故障の減少となり、その結果、現在の使い捨て時代から抜け出し、無駄なエネルギーを消費しない、物を捨てない、省エネリサイクル時代に、少しずつでも近づける。
【００７６】
なお、本発明は、上記の実施の形態に限定されるものではなく、本発明の範囲内で種々の変更が可能である。例えば、上記実施の形態では、カメラ部１０は、携帯用のものであったが、必ずしもこれに限らず、例えば、空調機室５０の内部に設置しておくものであってもよい。このときには、カメラ部１０は、マイク６及びスピーカ５を省略できるので、より経済的に作成することができる。また、このような、設置タイプにするときには、ビルに複数存在する各空調機室５０に設置するとともに、モニタ部３０には、チャネル切り替えにより、随時所望のカメラ部１０の映像を見ることができる。また、空調機室５０の内部に設置しておく場合には、モニタ部３０にてカメラ部１０の電源をオンオフできる機能を設けておくことが好ましい。これにより、カメラ部１０の稼動を必要時にのみ行うことができる。
【００７７】
また、本実施の形態のフィルタ汚染状況検出装置では、汚れ画像比較データ部３２は、フィルタ汚染度を、グレースケールにて、例えば６段階で表示されている。したがって、ディスプレイ部３１に表示された画像からどの程度の汚れであるのかが、比較対照できるだけである。しかし、必ずしもこれに限らず、例えば、カメラ部１０にて撮影した画像を画像処理することにより、上記６段階のいずれに対応するかを指示できるようにすることができる。具体的には、各グレースケールが点灯できるようにすればよい。
【００７８】
また、画像処理は、制御部４１が行う。例えば、初期状態のエアフィルタ５１の状態がわかっているので、その状態を濃度０とし、グレースケールの最も濃い状態と対応する汚染状態の画像を濃度１００として予めメモリ４３に格納しておく。そして、撮影したエアフィルタ５１の画像を画像処理して濃度を求め、例えば、最大濃度を６分割したもののどれに近いかを判断して、該当するグレースケールのものを点灯させるようにすればよい。
【００７９】
以上のように、本実施の形態のフィルタ汚染状況検出装置は、カメラ部１０にてエアフィルタ５１の画像を撮影し、カメラ部１０にて撮影したエアフィルタ５１の画像を、モニタ部３０にてエアフィルタ５１の汚染度との関係で表示する。
【００８０】
したがって、エアフィルタ５１がどの程度汚れているのかを、画像として目でみることができるので、エアフィルタ５１の汚れの状況を明確に把握することができる。
【００８１】
また、本実施の形態では、モニタ部３０は、エアフィルタ５１の汚染度との関係でその画像を表示する。したがって、その画像がどの程度汚れているのかが、直ちに明確になる。
【００８２】
したがって、エアフィルタ５１の汚染状況を、汚染度との関係で直接視認し得るフィルタ汚染状況検出装置を提供することができる。
【００８３】
また、本実施の形態のフィルタ汚染状況検出装置では、モニタ部３０には、エアフィルタ５１の画像を表示するディスプレイ部３１と、エアフィルタ５１の汚染度をグレースケール又はカラースケールにて表示する汚れ画像比較データ部３２とが設けられている。
【００８４】
したがって、エアフィルタ５１の汚染度を把握するに際して、汚れ画像比較データ部３２によるグレースケール又はカラースケールと画像とを比較できるので、直ちに、汚れの程度を把握することができる。
【００８５】
また、本実施の形態のフィルタ汚染状況検出装置では、モニタ部３０は、エアフィルタ５１の画像を画像処理することにより、エアフィルタ５１の汚染度として対応するグレースケール又はカラースケールの一つを指示させる分析手段としての制御部４１を備えている。
【００８６】
したがって、単に、肉眼で、画像とグレースケール又はカラースケールとを比較するのではなく、制御部４１がエアフィルタ５１の画像を画像処理して、グレースケール又はカラースケールのどのレベルに該当するのかを指示するので、客観的かつ適確に汚染度を把握することができる。
【００８７】
また、本実施の形態のフィルタ汚染状況検出装置では、モニタ部３０に設けられたディスプレイ部３１は、カメラ部１０にて撮影したエアフィルタ５１の画像と被写体の初期状態の画像とを同時に表示可能となっている。
【００８８】
したがって、単に画像を表示するだけではなく、エアフィルタ５１の初期状態との関係で汚れの状況を視認することができる。
【００８９】
また、本実施の形態のフィルタ汚染状況検出装置では、モニタ部３０には、撮影したエアフィルタ５１の画像を記憶するメモリ４３が設けられている。
【００９０】
したがって、後ほど、メモリ４３の画像をモニタ部３０にて表示することが可能である。
【００９１】
また、本実施の形態のフィルタ汚染状況検出装置では、メモリ４３は、モニタ部３０からとり外し自在となっているので、例えば、その取り出したメモリ４３をパーソナルコンピュータに挿入し、そのパーソナルコンピュータにて画像を表示したり印刷したりすることが可能となる。
【００９２】
また、本実施の形態のフィルタ汚染状況検出装置では、カメラ部１０は、静止画像及び動画像が撮影可能であるので、静止画像だけでなく、撮影箇所を移動しながら映像を撮影し、モニタ部３０にて表示することができる。
【００９３】
また、本実施の形態のフィルタ汚染状況検出装置では、カメラ部１０はスコープ部２を備えているので、狭い所や奥深いところでもエアフィルタ５１を撮影することができる。
【００９４】
また、本実施の形態のフィルタ汚染状況検出装置では、カメラ部１０は、無線にて撮影した画像をモニタ部３０に送信可能となっている。したがって、カメラ部１０とモニタ部３０とを互いに離れた位置に置くことができるとともに、無線で画像を送信するので、有線に比較して電波の届く範囲でモニタ部３０を移動することができる。
【００９５】
また、本実施の形態のフィルタ汚染状況検出装置では、被写体は、空調用のエアフィルタ５１である。すなわち、空調用のエアフィルタ５１は、従来、そのエアフィルタ５１の目詰まりによる静圧の増大を利用した間接的な汚染状況検出であったのに対して、本実施の形態では、目で見てエアフィルタ５１の汚染状況を把握できるので、エアフィルタ５１の交換時期等の判断が容易となる。
【００９６】
また、本実施の形態のフィルタ汚染状況検出装置では、カメラ部１０及びモニタ部３０風量を検出する風量計７・アンテナ兼風量計３９を備えている。したがって、風量測定に基いて差圧によるエアフィルタ５１の汚れを類推することができる。
【００９７】
また、モニタ部３０は、風量計７・アンテナ兼風量計３９による風量測定値を表示可能となっているので、風量測定値を視認することができる。
【００９８】
また、本実施の形態のフィルタ汚染状況検出装置では、カメラ部１０及びモニタ部３０は携帯可能であるので、持ち運びが容易であり、場合によっては、例えば、ビルの管理者の事務所にてエアフィルタ５１の汚れ状況を見せることができる。
【産業上の利用可能性】
【００９９】
本発明の汚染状況検出装置は、エアフィルタの汚れの把握に適用できる他、見えずらい所が見えると云うメリットから、天井配線他の確認、清掃箇所確認等に適用可能である。
【図面の簡単な説明】
【０１００】
【図１】本発明におけるフィルタ汚染状況検出装置の実施の一形態を示すものであり、（ａ）はカメラ部の構成を示す斜視図、（ｂ）はモニタ部の構成を示す斜視図である。
【図２】上記カメラ部の内部の構造を示す構成図である。
【図３】上記モニタ部の制御系を示すブロック図である。
【図４】上記フィルタ汚染状況検出装置のカメラ部にて検知するエアフィルタを備えた空調機室を示す構造図である。
【図５】上記エアフィルタの構成を示す斜視図である。
【符号の説明】
【０１０１】
１    カメラ本体
２    スコープ部（内視鏡）
３    電源ジャック
４    電源スイッチ
５    スピーカ
６    マイク
７    風量計（風量検出手段）
１０    カメラ部（撮像手段）
１１    ＣＣＤカメラ部
１２    通信部
１３    光源
２１    内筒
２３    フレキシブル保護外被
２４    対物レンズ
２５    接眼レンズ
２６    空洞部
３０    モニタ部（表示手段）
３１    ディスプレイ部
３２    汚れ画像比較データ部（汚染度スケール部）
３３    静圧レベル記載部
３４    静圧レベル表示ランプ部３４
３５ａ    電源スイッチ
３５ｂ    各種モードキー
３６    マイク
３７    スピーカ
３８    スピーカ音調整部
３９    アンテナ兼風量計（風量検出手段）
４１    制御部（分析手段）
４２    通信部
４３    メモリ（記憶手段）
５０    空調機室
５１    エアフィルタ
５２    点検口
【図１】
2005180830.tif 000003
【図２】
2005180830.tif 000004
【図３】
2005180830.tif 000005
【図４】
2005180830.tif 000006
【図５】
2005180830.tif 000007